(57)【要約】【課題】施工費用や保守費用を過大にすることなく、浸水時に簡単な作業で防潮機能を発揮することが可能な防潮壁の提供。【解決手段】本発明に係るスライド型防潮壁は、互いに複数の開口部を設けてある一組の壁体からなり、両開口部が互いに連通した状態で一方の壁体を他方の壁体に浮設しておく。浸水時には前記浮設の解除によって一方の壁体が下方に落下し、壁体の本体部分によって開口部が互いに閉塞され、防潮機能が発揮される。【選択図】図１
2011127387.tif 000002
【特許請求の範囲】
【請求項１】
互いに複数の開口部を設けてある一組の壁体からなり、
壁体間において前記開口部を連通させた状態から、一方の壁体を摺動することにより該開口部を閉塞するよう構成した、スライド型防潮壁。
【請求項２】
前記一方の壁体は浸水側に配した壁体であり、該一方の壁体は、開口部が互いに連通した状態で他方の壁体に浮設しておき、前記浮設の解除によって、前記一方の壁体が下方に落下し、前記開口部を互いに閉塞し合うことを特徴とする、請求項１に記載のスライド型防潮壁。
【請求項３】
前記一方の壁体に設けた開口部の背面側外周に凹溝を設け、該一方の壁体の落下後に、前記凹溝と前記他方の壁体の開口部の縁部とが当接することを特徴とする、請求項２に記載のスライド型防潮壁。
【発明の詳細な説明】
【技術分野】
【０００１】
本発明は陸上構造物への浸水被害を防止するための防潮壁に関し、より詳しくは、防潮壁に設けた開口部の解放・閉塞を簡易に切り替え可能なスライド型防潮壁に関する。
【背景技術】
【０００２】
津波や高潮、豪雨などの水位上昇によって陸上施設への浸水被害を防止すべく、種々の防潮堤が開発されている。
防潮堤が恒久的に設置される構造物である場合、見通しや風通しが悪くなり周辺の景観や環境に影響を与える懸念が生じることから、浸水が予測される時にのみ防潮機能を達成することが可能な防潮堤の提供が望まれている。
【０００３】
浸水時のみに防潮機能を発揮する防潮堤・防潮壁として、例えば跳ね上げ式の浸水防止装置がある。
【発明の概要】
【発明が解決しようとする課題】
【０００４】
しかし、従来の浸水防止装置では、以下の様な問題が生じる。
（１）跳ね上げ式の防潮壁では、数十ｃｍ程度の壁体を構築するに留まるため、数ｍ規模の浸水には対応できない。
（２）高さが数ｍ程度の壁体を備える跳ね上げ式の防潮壁を構築するには、出力の大きい駆動装置を使用する必要が生じるため、設備自体が大がかりとなり、施工費用が高くなってしまう。
（３）駆動装置等の定期的なメンテナンスが必要となり、保守費用コストが必要となってしまう。
【０００５】
したがって、本願発明の目的は、施工費用や保守費用を過大にすることなく、浸水時に簡単な作業で防潮機能を発揮することが可能な防潮壁の提供を目的とするものである。
【課題を解決するための手段】
【０００６】
そこで、本願の第１発明は、互いに複数の開口部を設けてある一組の壁体からなり、壁体間において前記開口部を連通させた状態から、一方の壁体を摺動することにより該開口部を閉塞するよう構成した、スライド型防潮壁を提供するものである。
また、本願の第２発明は、前記一方の壁体は浸水側に配した壁体であり、該一方の壁体は、開口部が互いに連通した状態で他方の壁体に浮設しておき、前記浮設の解除によって、前記一方の壁体が下方に落下し、前記開口部を互いに閉塞し合うことを特徴とする、前記第１発明に記載のスライド型防潮壁を提供するものである。
また、本願の第３発明は前記一方の壁体に設けた開口部の背面側外周に凹溝を設け、該一方の壁体の落下後に、前記凹溝と前記他方の壁体の開口部の縁部とが当接することを特徴とする、前記第２発明に記載のスライド型防潮壁を提供するものである。
【発明の効果】
【０００７】
本願発明によれば、以下の効果のうち、少なくとも何れか一つを得ることができる。
（１）通常時には、各壁体に設けた開口部が互いに連通してある状態を維持するため、通風性、景観性に悪影響を与えない。
（２）浸水時には、一方の壁体の浮設を解除する作業のみで、早期且つ簡易に防潮機能を発揮することができる。
（３）浸水の解消後には、一方の壁体を元の位置に戻す作業のみで通常時への復帰が可能であり、再利用が容易である。
（４）外部動力が不要であり、施工コストや保守費用を節減することができる。
（５）浸水時には、前記背面壁の外周縁部と前面壁の背面側に設けた凹部とが前記水圧によって密に当接するため、壁体の止水性能が向上する。
（６）開口部の数や配置形態を変更することによって、通風性や景観性を簡易に制御できる。
【図面の簡単な説明】
【０００８】
【図１】本発明の防潮壁を示す概略斜視図。
【図２】本発明の防潮壁の側断面を示す概略図。
【発明を実施するための形態】
【０００９】
各図面を参照しながら、本発明のスライド型防潮壁について説明する。
【実施例１】
【００１０】
＜１＞全体構成
図１は、本発明における防潮壁の概略斜視図であり、図２は防潮壁の側断面を示す概略図である。各図とも（ａ）は通常時の状態を示し、（ｂ）は浸水時の状態を示す。
本実施例における防潮壁は、背面壁１及び前面壁２からなる一組の壁体を少なくとも含む。その他、本実施例における防潮壁は、前記前面壁２の天端に設けた把持具３と、前記一組の壁体を両側から支持するガイドフレーム４と、前記一組の壁体を所定の位置で連結するための支持ピン５と、前記一組の壁体の下方に設けた固定壁６とによって構成する（図１）。
【００１１】
＜２＞一組の壁体
一組の壁体は、浸水時にのみ防潮機能を発揮するための構造体である。
一組の壁体は、平面方向に重ね合わせた二枚の壁体によって構成する。
本実施例では、前記二枚の壁体のうち、陸上構造物側の壁体を背面壁１、浸水側の壁体を前面壁２と定義する。
背面壁１は前面壁２の摺動長さＬ3分だけ上方に遷移した位置に支持板７によって固定しておき、前面壁２は、背面壁１に重ねつつ上下方向に摺動自在に配置する（図２）。
【００１２】
＜２．１＞開口部
背面壁１及び前面壁２は、ともに複数の開口部１１，２１を有する（図１）。
各開口部の形状は、円形、多角形など、種々の形状を採用することができる。本実施例では長方形状の開口部を設ける。
各開口部の配置形態は、通風性や景観性を配慮しつつ、壁体の前面又は一部に対して、長手状、千鳥状など、種々の配置形態を採用することができる。本実施例では、開口部を均等に千鳥状に配置してなる。
【００１３】
背面壁１と前面壁２の開口部の形状並びに配置形態は、通常時に視認性及び通風性を確保する観点より、前記背面壁１及び前面壁２を特定の位置で重ねた際に全ての開口部が連通した状態を構築する必要が有るため、同様のものとすることが望ましい。
【００１４】
また、本実施例のように開口部の形状を長方形状とし、該開口部を均等に千鳥状に配置してある場合、浸水時に止水性を確保する観点より、開口部は一方の壁体の移動によって該一方の壁体の開口部が他方の壁体の開口部以外の部分によって十分に閉塞されるよう構成する必要がある。
したがって、前記開口部の縦方向の長さをＬ1、開口部同士の間隔をＬ2、前面壁の摺動長さをＬ3とした場合、下記の式を満たすよう構成することが望ましい（図２）。
式１：Ｌ2＞Ｌ1
式２：Ｌ3＝Ｌ1＋（Ｌ2−Ｌ1）／２
【００１５】
＜２．２＞凹溝
前面壁２の背面側の開口部の外周縁部には凹溝２２を設ける（図２）。前記凹溝２２を設けることにより、前面壁２が下方に落下した際には背面壁１の開口部１１の前面側の外周縁部が凹溝２２と対向する位置となる。浸水により前面壁は水圧を受けるため、該外周縁部は凹溝２２に密に当接し、前面壁と背面壁との間の止水性を高めることができる。
【００１６】
＜３＞把持具
把持具３は、前面壁２の引き上げを支援するための部材である。
把持具３は前面壁２の天端に設け、当該把持具３を介し人力又は外部動力を用いて該前面壁２を上方に持ち上げ易くすることができる。
【００１７】
＜４＞ガイドフレーム
ガイドフレーム４は、前記一組の壁体の両側に設け、該一組の壁体を上方から摺動させて所定の位置に収納するための部材である。
ガイドフレーム４は、Ｈ鋼などの周知の部材によって形成することができる。
【００１８】
＜５＞支持ピン
支持ピン５は、背面壁１に対して前面壁２を所定の位置に位置決めするための部材である。
支持ピン５は、前記前面壁２の開口部２１と背面壁１の開口部１１とが互いに連通してなる空間に横断するように差し込むことで、前面壁２を所定の位置で浮設・支持する。
【００１９】
＜６＞固定壁
固定壁６は、景観性や通風性に影響を与えない高さまで設置される常設の構造物である。固定壁６は、配置した土台（図示せず）を介するか、或いは直接杭やアンカー等によって地面に固定し、浸水時の水圧に抵抗可能に構成する。
なお、本発明の防潮壁において、固定壁６は必須の部材ではない。固定壁６を省略する場合には一組の壁体自体を地面に固定するよう構成すれば足りる。
【００２０】
＜７＞使用方法
次に、本実施例に係る防潮壁の使用方法について説明する。
（１）通常時
通常時は、背面壁１の開口部１１と前面壁２の開口部２１とが連通する位置まで前面壁２を上方に持ち上げ、該前面壁２が浮いた状態のまま両開口部１１，２１を横断するように支持ピン５を差し込み、固定する（図１（ａ）、図２（ａ））。
【００２１】
（２）浸水時
津波や高潮などにより浸水が確認された場合には、開口部１１，２１に差し込んである支持ピン５を取り外す。支持ピン５を取り外すと、浮設していた前面壁２が重力によって下方へと落下する。このとき、背面壁１の開口部１１は前面壁２の本体部分によって閉塞され、前面壁２の開口部２１は背面壁１の本体部によって閉塞される（図１（ｂ）、図２（ｂ））。
浸水が進むと、前面壁２は水圧を受け背面側に押し込まれる。このとき、前記背面壁１の外周縁部と前面壁２の背面側に設けた凹部２２とが前記水圧によって密に当接するため、背面壁１と前面壁２との間の止水性能が向上することとなる。
【００２２】
（３）浸水解消後
浸水が解消した際には、把持具３を介して前面壁２を上方に持ち上げ、該前面２壁が浮いた状態のまま前記開口部１１，２１に支持ピン５を再度差しこんで前面壁２を浮設・固定し、通常状態へと復帰させる（図１（ａ）、図２（ａ））。
【００２３】
以上の工程により、浸水の発生時には迅速に防潮機能を発揮することができるとともに、浸水の解消後には、容易に防潮機能を解除して視認性及び通風性を復帰することが可能となる。
【実施例２】
【００２４】
本発明に係るスライド型防潮壁を構成する一組の壁体は、三枚以上の壁体によって構成することもできる。例えば、実施例１に係る前面壁２を横断方向に複数分割し、各分割体の各々を個別に支持ピン５で背面壁１に固定することができる。本実施例によれば、浸水の発生時に下方の分割体から順に支持ピン５を取り外し、浸水の高さに応じて順次防潮機能を発揮させることができるため、必要以上に防潮機能を発揮させることが無い。
【実施例３】
【００２５】
本発明に係るスライド型防潮壁を構成する一組の壁体は、背面壁１又は前面壁２の何れか一方を平面方向に摺動させることで、両開口部を閉塞するよう構成してもよい。この場合、一方の壁体の摺動に際し重力を利用することができないことから、重力に抵抗して両壁体を連結するための支持ピン５は不要であり、浸水時には人力又は外部動力によって一方の壁体を摺動させることとなる。
【符号の説明】
【００２６】
１          前面壁
２          背面壁
３          把持具
４          ガイドフレーム
５          支持ピン
６          固定壁
７          支持板
１１，２１  開口部
【図１】
2011127387.tif 000003
【図２】
2011127387.tif 000004